(57)【特許請求の範囲】
【請求項１】
外周辺に枠体を有している太陽電池モジュールを屋根上に固定するための太陽電池モジュールの固定部材であって、
該固定部材は、
水平に延びている平板状の第一下片と、
該第一下片の一方の端辺から上方へ延出している立片と、
該立片の上端から前記第一下片の上方へ延出している第一上片と、
前記立片の下端から前記第一下片とは反対側へ延出している平板状の第二下片と、
前記立片の下部において前記第二下片側へ突出している突出部と、
前記立片の上端から前記第二下片の上方へ延出している第二上片と、
前記第一下片及び前記第二下片から下方へ延出している複数の脚片と、
該脚片の下端と接続されており前記第一下片及び前記第二下片に沿って延びている平板状の底片と、
前記第一下片を貫通している貫通孔と
を具備していることを特徴とする太陽電池モジュールの固定部材。
【請求項２】
請求項１に記載の固定部材を用いて外周辺に枠体を有している太陽電池モジュールを屋根上に固定している太陽電池モジュールの固定構造であって、
前記固定部材の前記底片が屋根上に取付けられており、
前記太陽電池モジュールの前記枠体のうち棟側を向いている第一枠体が前記第一下片と前記第一上片との間に挿入されて前記立片に当接している状態で、前記貫通孔を通して前記第一下片と前記第一枠体とがボルトにより固定されていると共に、
前記枠体のうち軒側を向いている第二枠体が前記第二下片と前記第二上片との間に嵌合されて前記突出部に当接している
ことを特徴とする太陽電池モジュールの固定構造。
【請求項３】
請求項１に記載の固定部材を用いて外周辺に枠体を有している太陽電池モジュールを屋根上に固定するための太陽電池モジュールの固定方法であって、
前記太陽電池モジュールの前記枠体のうち棟側を向いている第一枠体を、前記固定部材の前記第一下片と前記第一上片との間に挿入させて前記立片に当接させた状態で、前記貫通孔を通してボルトにより前記第一下片と前記第一枠体とを固定し、
前記第二下片を棟側へ向けた状態で屋根上に取付けられている別の前記固定部材の前記第二下片と前記第二上片との間に、前記第一枠体に前記固定部材が取付けられている前記太陽電池モジュールの軒側を向いている第二枠体を嵌合させて、前記突出部に当接させると共に、前記固定部材の前記底片を屋根上に載置して取付ける
ことを特徴とする太陽電池モジュールの固定方法。
【発明の詳細な説明】
【技術分野】
【０００１】
本発明は、外周辺に枠体を有している太陽電池モジュールを屋根上に固定するための太陽電池モジュールの固定部材、太陽電池モジュールの固定構造、及び太陽電池モジュールの固定方法に関するものである。
【背景技術】
【０００２】
屋根上に固定される太陽電池モジュールとして、平板状の太陽電池パネルの外周辺に枠体を取付けたものが知られている。このような太陽電池モジュールを屋根上に固定するための固定部材として、本願出願人は、枠体の側面に嵌合させることができると共に、屋根上に取付けることができる固定部材を提案している（特許文献１）。
【０００３】
特許文献１の技術では、固定部材に、屋根上に取付けられるベース部と、ベース部から上方へ延出している軸部と、軸部の上端から両側へ延びている天部とを備え、ベース部と天部との間に枠体を嵌合させている。また、この固定部材では、軸部の片側において、ベース部と天部とから互いに対面する方向へ突出している突片を備えている。
【０００４】
この特許文献１の技術では、まず、軸部に対して突片側を屋根の棟側に向けた状態で固定部材を屋根上に取付け、その固定部材の棟側を向いているベース部と天部の間に、太陽電池モジュールの軒側を向いている枠体を嵌合させる。続いて、反対側の棟側を向いている枠体を、別の固定部材の突片が突出していない側のベース部と天部との間に嵌合させた後に、屋根上にベース部を載置して取付ける。そして、棟側の固定部材の棟側を向いているベース部と天部の間に、別の太陽電池モジュールの軒側を向いている枠体を嵌合させ、上記の作業を繰り返す。これにより、複数の太陽電池モジュールを軒側から順番に屋根上に固定することができる。
【０００５】
屋根上に固定された太陽電池モジュールに風が当ると、太陽電池モジュールに対して屋根上から持ち上げられるような力が作用する。この力に対して、特許文献１の技術では、固定部材の天部と、軸部を通して棟側の枠体にねじ込まれるビスとによって対応しており、太陽電池モジュールの上方への移動を規制している。また、特許文献１の技術では、棟側に位置している太陽電池モジュールの軒側の枠体が、固定部材の突片に当接することで、軒側の太陽電池モジュールとの間に、太陽電池モジュールの熱膨張を吸収する隙間を形成している。
【０００６】
この特許文献１の技術に対して、太陽電池モジュールの屋根上へのより高い固定強度を求めるニーズがある。また、特許文献１では、太陽電池モジュールの棟側の枠体を、ビスによって軸部に固定しているため、傾斜している屋根において、軸部に軒方向への力が作用し、軸部が曲がってしまう虞がある。更に、特許文献１の技術では、太陽電池モジュールの軒側の枠体が当接する突片が、ベース部と天部の両方から突出していることから、棟側の太陽電池モジュールの荷重が天部側にもかかるため、天部側の突片にかかる荷重により軸部に軒方向への力が作用し、軸部が曲がってしまう虞がある。仮に、軸部が曲がった場合、天部が軒側へ移動することとなるため、太陽電池モジュールの軒側の枠体において、天部とのかかり具合が減少してしまい、尾根上への太陽電池モジュールの固定強度が低下してしまう虞がある。
【先行技術文献】
【特許文献】
【０００７】
【特許文献１】特許第４３６５４５０号公報
【発明の概要】
【発明が解決しようとする課題】
【０００８】
そこで、本発明は、上記の実情に鑑み、太陽電池モジュールの屋根上への固定強度を高められる太陽電池モジュールの固定部材、太陽電池モジュールの固定構造、及び太陽電池モジュールの固定方法の提供を課題とするものである。
【課題を解決するための手段】
【０００９】
上記の課題を解決するために、本発明に係る太陽電池モジュールの固定部材は、「外周辺に枠体を有している太陽電池モジュールを屋根上に固定するための太陽電池モジュールの固定部材であって、該固定部材は、水平に延びている平板状の第一下片と、該第一下片の一方の端辺から上方へ延出している立片と、該立片の上端から前記第一下片の上方へ延出している第一上片と、前記立片の下端から前記第一下片とは反対側へ延出している平板状の第二下片と、前記立片の下部において前記第二下片側へ突出している突出部と、前記立片の上端から前記第二下片の上方へ延出している第二上片と、前記第一下片及び前記第二下片から下方へ延出している複数の脚片と、該脚片の下端と接続されており前記第一下片及び前記第二下片に沿って延びている平板状の底片と、前記第一下片を貫通している貫通孔とを具備している」ものである。
【００１０】
ここで、固定部材によって太陽電池モジュールが固定される屋根上としては、板金、スレート、波板、葺板、及び瓦等の屋根の表面材上としても良いし、屋根の表面材よりも上方に取付けられている長く延びた桟部材上としても良い。
【００１１】
また、第一下片へのボルトによる第一枠体の固定としては、「第一枠体にボルトの雄ネジ部が通過可能な挿通孔を有し、第一下片の下方から貫通孔及び挿通孔を通った雄ネジ部にナットを螺合して締結固定するもの」、「第一枠体にボルトの雄ネジ部と螺合する雌ネジ孔を有し、第一下片の下方から貫通孔を通して雄ネジ部を雌ネジ孔に螺合させて締結固定するもの」、を例示することができる。
【００１２】
固定部材の「脚片」としては、第一下片及び第二下片から夫々少なくとも一つずつ下方へ延出しているものであれば良く、第一下片及び第二下片の立片とは反対側の端部から下方へ延出していても良いし、第一下片及び第二下片の途中から下方へ延出していても良い。
【００１３】
本構成の固定部材によれば、第一下片と第一上片との間に太陽電池モジュールの枠体を嵌合させた状態で、第一下片を貫通している貫通孔を通してボルトにより第一下片と枠体とを締結固定することができる。この状態で、固定部材を屋根上に取付けることで、太陽電池モジュールの上方への移動を、ボルト（第一下片）で規制することができるため、太陽電池モジュールの屋根上への固定強度をより高めることができ、嵐や台風等の強風でも太陽電池モジュールを外れ難いものとすることができる。
【００１４】
また、固定部材は、立片に対して第二下片を棟側へ向けて屋根上に取付けた状態で、第二下片と第二上片との間に棟側から太陽電池モジュールの枠体を嵌合させると共に、枠体の側面を突出部に当接させた状態とすることで、太陽電池モジュールの荷重を、突出部を介して立片の第二下片に近い位置で受けることができる。これにより、棟側の太陽電池モジュールの荷重が立片に作用しても、立片が曲がり難くなるため、第二上片が軒側へ移動することはなく、太陽電池モジュールの軒側の枠体において、第二上片とのかかり具合を維持することができ、太陽電池モジュールの固定強度が低下する虞はない。
【００１５】
続いて、本発明に係る太陽電池モジュールの固定構造は、「前記固定部材の前記底片が屋根上に取付けられており、前記太陽電池モジュールの前記枠体のうち棟側を向いている第一枠体が前記第一下片と前記第一上片との間に挿入されて前記立片に当接している状態で、前記貫通孔を通して前記第一下片と前記第一枠体とがボルトにより固定されていると共に、前記枠体のうち軒側を向いている第二枠体が前記第二下片と前記第二上片との間に嵌合されて前記突出部に当接している」ものである。
【００１６】
これは、上記の固定部材を用いて外周辺に枠体を有している太陽電池モジュールを屋根上に固定している太陽電池モジュールの固定構造である。本構成の固定構造によれば、太陽電池モジュールの棟側の第一枠体を、ボルトにより固定しており、太陽電池モジュールの屋根上への固定強度をより高めることができると共に、太陽電池モジュールの荷重を棟側の固定部材でも支えることができる。また、突出部により、軒側の太陽電池モジュールの荷重を、立片の第二下片に近い位置で受けており、立片が曲がり難くなる。これにより、棟側の太陽電池モジュールの荷重が立片に作用しても、第二上片が軒側へ移動することはなく、太陽電池モジュールの軒側の枠体において、第二上片とのかかり具合を維持することができ、太陽電池モジュールの固定強度が低下する虞はない。
【００１７】
次に、本発明に係る太陽電池モジュールの固定方法は、「前記太陽電池モジュールの前記枠体のうち棟側を向いている第一枠体を、前記固定部材の前記第一下片と前記第一上片との間に挿入させて前記立片に当接させた状態で、前記貫通孔を通してボルトにより前記第一下片と前記第一枠体とを固定し、前記第二下片を棟側へ向けた状態で屋根上に取付けられている別の前記固定部材の前記第二下片と前記第二上片との間に、前記第一枠体に前記固定部材が取付けられている前記太陽電池モジュールの軒側を向いている第二枠体を嵌合させて、前記突出部に当接させると共に、前記固定部材の前記底片を屋根上に載置して取付ける」ものである。
【００１８】
これは、上記の固定部材を用いて外周辺に枠体を有している太陽電池モジュールを屋根上に固定するための太陽電池モジュールの固定方法である。本構成の固定方法によれば、上記の固定構造を構築することができ、固定強度を高めた状態で太陽電池モジュールを屋根上に固定することができる。
【発明の効果】
【００１９】
以上のように、本発明の効果として、太陽電池モジュールの屋根上への固定強度を高められる太陽電池モジュールの固定部材、太陽電池モジュールの固定構造、及び太陽電池モジュールの固定方法を、提供することができる。
【図面の簡単な説明】
【００２０】
【図１】本発明の一実施形態として太陽電池モジュールを屋根上に固定した状態を示す斜視図である。
【図２】一部を省略して示す図１の側面断面図である。
【図３】（ａ）は本発明の一実施形態である太陽電池モジュールの固定部材の側面図であり、（ｂ）は（ａ）の正面斜視図であり、（ｃ）は（ａ）の背面斜視図である。
【図４】屋根上への太陽電池モジュールの取付け方法を示す説明図である。
【図５】図４に続く太陽電池モジュールの取付け方法を示す説明図である。
【発明を実施するための形態】
【００２１】
本発明の一実施形態である太陽電池モジュールの固定部材１０（以下、単に固定部材１０と称す）、固定部材１０を用いた太陽電池モジュールの固定構造、及び固定部材１０を用いた太陽電池モジュールの固定方法について、図１乃至図５を参照して詳細に説明する。本実施形態の固定部材１０は、外周辺に枠体２を有している太陽電池モジュール１を、屋根上（屋根材５の上方）に固定するためのものである。
【００２２】
まず、本実施形態の固定部材１０について説明する。固定部材１０は、図３に示すように、水平に延びている平板状の第一下片１１と、第一下片１１の一方の端辺から上方へ延出している立片１２と、立片１２の上端から第一下片１１の上方へ延出している第一上片１３と、立片１２の下端から第一下片１１とは反対側へ延出している平板状の第二下片１４と、立片１２の下部において第二下片１４側へ突出している突出部１５と、立片１２の上端から第二下片１４の上方へ延出している第二上片１６と、第一下片１１及び第二下片１４から下方へ延出している複数の脚片１７と、脚片１７の下端と接続されており第一下片１１及び第二下片１４に沿って延びている平板状の底片１８と、を備えている。
【００２３】
また、固定部材１０は、第一下片１１を貫通している貫通孔１１ａと、底片１８を貫通している取付孔１８ａと、取付孔１８ａの直上の位置で取付孔１８ａよりも大きく第二下片１４を貫通している挿通孔１４ａと、を備えている。
【００２４】
固定部材１０は、一定の断面形状で延びているアルミニウム合金の押出型材を、１００ｍｍ〜１５０ｍｍの長さで切断した後に、貫通孔１１ａ、取付孔１８ａ、及び挿通孔１４ａを切削加工したものである。
【００２５】
第一下片１１は、立片１２付近の上面がやや窪んでいる。立片１２は、上下方向の中間部分が、第一下片１１の上方側へやや膨らんだ状態で、屈曲している。第一上片１３は、第一下片１１よりも短く、第一下片１１と平行に延びている。第一上片１３は、第一下片１１に枠体２を載置した時の枠体２の上面よりも若干高い位置に形成されている。つまり、第一下片１１と第一上片１３との間が、枠体２の高さよりも若干大きく形成されている。
【００２６】
第二下片１４は、立片１２から遠ざかるに従って上方へ位置するように斜めに延びた後に、水平に端部まで延びており、第一下片１１よりも長く延びている。第二下片１４は、立片１２側の端部が第一下片１１の窪んでいる部位と同じ高さであり、立片１２から遠ざかった端部が第一下片１１よりも高い位置である。突出部１５は、立片１２から僅かに突出しており、先端が上下に延びた平らな面に形成されている。
【００２７】
第二上片１６は、上面が第一上片１３の上面の高さと一致しており、下面が第一上片１３の下面よりも下方に位置している。第二上片１６は、下面が、第一下片１１に枠体２を載置した時の枠体２の上面と同じ高さの位置に形成されている。第二上片１６は、立片１２から遠ざかった端部付近の下面から端部まで斜めに切欠かれているテーパ部１６ａを有している。
【００２８】
脚片１７は、第一下片１１及び第二下片１４における立片１２付近の部位と、第二下片１４の立片１２から遠ざかった端部との三つの部位から、下方へ延出している。底片１８は、三つの脚片１７の下端同士を連結している。底片１８は、第二下片１４側の二つの脚片１７の間において、上方へ膨出している台座部１８ｂを備えている。
【００２９】
貫通孔１１ａは、第一下片１１における脚片１７が延びている部位と立片１２から遠ざかった端部との間の位置で、且つ、一定の断面形状で延びている方向（以下、押出方向と称する）の中央の位置で貫通している。取付孔１８ａは、脚片１８の台座部１８ｂにおいて、立片１２から第二上片１６よりも遠ざかった位置で貫通しており、押出方向へ等間隔に三つ形成されている。挿通孔１４ａは、第二下片１４における三つの取付孔１８ａと夫々が対応している部位で、四隅が丸くなった角孔状に形成されている。挿通孔１４ａは、内周が取付ビス８の頭部よりも大きく形成されている。
【００３０】
次に、固定部材１０によって屋根上に固定される太陽電池モジュール１について説明する。太陽電池モジュール１は、平面視の外周が長方形に形成されている平板状の太陽電池パネル３と、太陽電池パネル３の各辺に取付けられている枠体２とから主に構成されている。枠体２は、太陽電池パネル３の長辺の一つに取付けられている第一枠体２Ａと、反対側の長辺に取付けられている第二枠体２Ｂと、二つの短辺に取付けられていると共に、第一枠体２Ａ及び第二枠体２Ｂの端部に取付けられている第三枠体２Ｃとから構成されている。第一枠体２Ａ、第二枠体２Ｂ、及び第三枠体２Ｃは、夫々の断面形状が同一である。
【００３１】
枠体２は、図２等に示すように、直線状に上下へ延びている外側側面とクランク状に上下へ延びている内側側面とを有し断面形状が閉鎖された枠状の本体部２ａと、本体部２ａの外側側面と連続して上方へ延出した後に本体部２ａの上面の上方側へ屈曲している保持部２ｂと、本体部２ａの下面と連続して外周側面から遠ざかる方向へ平板状に延出している延出部２ｃと、を備えている。枠体２は、一定の断面形状で延びており、アルミ合金の押出型材によって形成されている。
【００３２】
四つの枠体２のうち、第一枠体２Ａと第二枠体２Ｂには、延出部２ｃを貫通している貫通孔２ｄが形成されている。貫通孔２ｄは、延出部２ｃにおいて、太陽電池モジュール１の長辺に沿った方向へ離間して複数形成されている。貫通孔２ｄは、本体部２ａの外側側面からの距離が、固定部材１０における立片１２から貫通孔１１ａまでの距離と同じであると共に、貫通孔１１ａと同じ大きさの内径である。本実施形態では、貫通孔２ｄが、第一枠体２Ａと第二枠体２Ｂとに、夫々二つずつ予め形成されている。
【００３３】
続いて、上記の固定部材１０を用いた太陽電池モジュール１の屋根上への固定方法について説明する。本実施形態では、固定部材１０の底片１８の下面に、ブチルゴムからなる平板状の防水シート２０が予め貼付けてある。
【００３４】
まず、太陽電池モジュール１の第一枠体２Ａを、固定部材１０の第一下片１１と第一上片１３との間に挿入させて立片１２に当接させた状態で、固定部材１０を第一枠体２Ａに沿ってスライドさせて、第一枠体２Ａの貫通孔２ｄと第一下片１１の貫通孔１１ａとを一致させる。そして、貫通孔１１ａ及び貫通孔２ｄに、下方からボルト６の雄ネジ部６ａを通した上で、雄ネジ部６ａの先端にナット７を螺合して締付けることで、第一下片１１と第一枠体２Ａの延出部２ｃとを締結固定する。
【００３５】
一つの太陽電池モジュール１に対して、第一枠体２Ａに二つの固定部材１０を、夫々ボルト６によって固定する。本実施形態では、二つの固定部材１０を、第一枠体２Ａの長手方向の両端付近に夫々固定している。また、屋根上に固定する全ての太陽電池モジュール１に対して、夫々の第一枠体２Ａに固定部材１０を固定しておく。
【００３６】
固定部材１０を屋根上に取付ける前に、ボルト６により第一下片１１と第一枠体２Ａとを固定することにより、固定部材１０を屋根上に取付けてからボルト６により第一下片１１と第一枠体２Ａとを固定するようにした場合と比較して、ボルト６を貫通孔１１ａ及び貫通孔２ｄへ通すための第一下片１１の下方のスペースを十分に確保することができ、ボルト６による第一下片１１と第一枠体２Ａとの固定作業が行い易い。ボルト６による第一枠体２Ａへの固定部材１０の固定作業は、太陽電池モジュール１を屋根上へ運ぶ前に行うことが望ましい。
【００３７】
次に、傾斜している屋根上における太陽電池モジュール１を固定する部位の最も軒側となる位置に、複数（図１の例では三つ）の固定部材１０を、第二下片１４を棟側へ向けた状態で、屋根の横方向へ一直線に並べて屋根材５上に載置する（図４（ａ）を参照）。その後、上方から挿通孔１４ａ、取付孔１８ａ及び防水シート２０を通して、取付ビス８により夫々の固定部材１０を屋根上に取付ける。固定部材１０は、二つを第一枠体２Ａに取付けた二つの固定部材１０と同じ間隔で屋根上に取付けると共に、それら二つの固定部材１０の間の中央位置にも取付ける。
【００３８】
本実施形態では、屋根材５が板金によって構成されているため、取付位置に対して制限が少なく、固定部材１０を任意の位置に取付けることができる。
【００３９】
そして、屋根上に取付けられている固定部材１０に対して、屋根の棟側から、太陽電池モジュール１の第二枠体２Ｂを、第二下片１４と第二上片１６との間へ嵌合させると共に、第二枠体２Ｂの側面を突出部１５に当接させて、第一枠体２Ａに取付けられている固定部材１０を屋根材５に載置する。この際に、第二上片１６には、テーパ部１６ａが形成されているため、屋根の上面に対して太陽電池モジュール１を傾けた状態で、第二枠体２Ｂを挿入して嵌合させることができる（図４（ｂ）を参照）。
【００４０】
本実施形態では、第二下片１４が傾斜しているため、傾けた状態で第二枠体２Ｂを挿入した太陽電池モジュール１を、屋根の傾斜と平行な状態にすると、第二枠体２Ｂの延出部２ｃが弾性変形した状態となる。これにより、延出部２ｃの弾性力によって第二枠体２Ｂが第二下片１４と第二上片１６との間にきつく嵌合された状態となる。本実施形態では、延出部２ｃが弾性変形している状態を示しているが、第二下片１４が弾性変形しても良いし、第二下片１４と延出部２ｃの両方が弾性変形しても良い。
【００４１】
第一枠体２Ａに取付けられている固定部材１０を屋根材５に載置する前に、第一枠体２Ａにおける二つの固定部材１０の間の中央位置に、新たな固定部材１０の第一下片１１と第一上片１３との間を挿入させて立片１２を当接させた状態とする。この固定部材１０は、ボルト６により第一枠体２Ａに固定しない。その後に、三つの固定部材１０を屋根材５に載置し、取付孔１８ａを通して取付ビス８により屋根上に取付ける（図４（ｃ）を参照）。
【００４２】
続いて、次の棟側の太陽電池モジュール１の第二枠体２Ｂを、先ほど取付けた固定部材１０の第二下片１４と第二上片１６との間へ嵌合させ、上述と同様の作業を繰り返して棟側の太陽電池モジュール１の第一枠体２Ａ側を、固定部材１０によって屋根上に固定する（図５を参照）。これにより、屋根上に太陽電池モジュール１を固定することができると共に、屋根上に太陽電池モジュール１が固定されている固定構造を構築することができる。
【００４３】
このように、本実施形態によれば、第一下片１１を貫通している貫通孔１１ａを通してボルト６により第一下片１１と第一枠体２Ａとを締結固定しており、太陽電池モジュール１の上方への移動を、ボルト６（第一下片１１）で規制することができるため、太陽電池モジュール１の屋根上への固定強度をより高めることができ、嵐や台風等の強風でも太陽電池モジュール１を外れ難いものとすることができる。
【００４４】
また、ボルト６により第一下片１１と第一枠体２Ａとを締結固定しているため、第一枠体２Ａの長手方向に対する固定部材１０と第一枠体２Ａと相対的な移動を規制することができる。従って、固定部材１０により太陽電池モジュール１の屋根の横方向への移動を規制することができる。
【００４５】
また、立片１２に対して第二下片１４を棟側へ向けて固定部材１０を屋根上に取付けた状態で、第二下片１４と第二上片１６との間に棟側から嵌合させた第二枠体２Ｂの側面を突出部１５に当接させているため、太陽電池モジュール１の荷重を、突出部１５及び立片１２を介して第二下片１４に近い位置で受けることができる。これにより、棟側の太陽電池モジュール１の荷重が立片１２に作用しても、立片１２が曲がり難くなるため、第二上片１６が軒側へ移動することはなく、太陽電池モジュール１の軒側の第二枠体２Ｂにおいて、第二上片１６とのかかり具合を維持することができ、太陽電池モジュール１の固定強度が低下する虞はない。
【００４６】
更に、ボルト６により第一下片１１に固定した第一枠体２Ａを、屋根の棟側へ向けた状態で、傾斜している屋根上に取付けており、ボルト６を介して固定部材１０により太陽電池モジュール１を棟側から引っ張り上げるように固定している。これにより、太陽電池モジュール１の荷重を、棟側の固定部材１０と軒側の固定部材１０の両方で支えることが可能となり、太陽電池モジュール１の荷重を、屋根に対して均等に分散させることができる。従って、屋根の傾斜方向へ並んでいる複数の太陽電池モジュール１の荷重を、各固定部材１０において略均等に屋根側へ分散させることができ、偏荷重による屋根への負担を軽減させることができる。
【００４７】
また、太陽電池モジュール１の棟側の第一枠体２Ａ側では、固定部材１０を屋根上に取付ける前に、ボルト６により第一下片１１と第一枠体２Ａとを固定している。これにより、固定部材１０を屋根上に取付けてからボルト６により固定するようにした場合と比較して、ボルト６を貫通孔１１ａ及び貫通孔２ｄへ通すための第一下片１１の下方のスペースを十分に確保することができ、ボルト６による第一下片１１と第一枠体２Ａとの固定作業を行い易いものとすることができる。
【００４８】
また、第一下片１１と第一上片１３との間を、枠体２の高さよりも若干大きく形成しているため、第一枠体２Ａを、第一下片１１と第一上片１３との間に簡単に挿入させることができ、第一枠体２Ａへの固定部材１０の固定作業を楽に行うことができる。
【００４９】
更に、本実施形態では、太陽電池モジュール１の第一枠体２Ａ及び第二枠体２Ｂにおいて、ボルト６により第一枠体２Ａに固定されている二つの固定部材１０の間の中央位置に対応している部位に、ボルト６により枠体２に固定されていない固定部材１０を配置して屋根上に固定している。これにより、太陽電池モジュール１において、第一枠体２Ａ及び第二枠体２Ｂの中央位置の上下方向への撓みを防止することができ、太陽電池モジュール１の固定強度をより高めることができる。また、強風による太陽電池モジュール１のばたつきを抑制することができる。
【００５０】
また、傾斜している屋根に対して、軒側から棟側へ向かって太陽電池モジュール１を順番に固定しているため、屋根上へ複数の太陽電池モジュール１を固定する作業を、容易に行うことができる。また、作業者が、屋根上において軒側を向いた状態で作業することとなるため、下方（軒側）を確認しながら作業することができ、固定作業の安全性を高めることができる。
【００５１】
以上、本発明について好適な実施形態を挙げて説明したが、本発明は上記の実施形態に限定されるものではなく、本発明の要旨を逸脱しない範囲において、種々の改良及び設計の変更が可能である。
【００５２】
例えば、上記の実施形態では、固定部材１０において、第一下片１１の立片１２から遠ざかった端部（先端部）からは脚片１７が下方へ延出していない例を示したが、これに限定するものではなく、第一下片１１の先端部から脚片１７が下方へ延出していても良い。
【００５３】
また、上記の実施形態では、最も軒側の固定部材１０を、立片１２に対して第二下片１４を棟側へ向けた例を示したが、これに限定するものではなく、最も軒側の固定部材１０を、立片１２に対して第一下片１１を棟側へ向けると共に、ボルト６により第一下片１１と第二枠体２Ｂとを固定するようにしても良い。
【００５４】
更に、上記の実施形態では、屋根上として、屋根材５に固定部材１０を取付けた例を示したが、これに限定するものではなく、屋根上に取付けられている長く延びた桟部材に固定部材１０を取付けることで、太陽電池モジュール１を屋根上に固定しても良い。
【符号の説明】
【００５５】
１  太陽電池モジュール
２  枠体
２Ａ  第一枠体
２Ｂ  第二枠体
３  太陽電池パネル
５  屋根材
６  ボルト
７  ナット
８  取付ビス
１０  固定部材
１１  第一下片
１１ａ  貫通孔
１２  立片
１３  第一上片
１４  第二下片
１４ａ  挿通孔
１５  突出部
１６  第二上片
１６ａ  テーパ部
１７  脚片
１８  底片
１８ａ  取付孔
１８ｂ  台座部
２０  防水シート
【図１】
0006440644.tif 000002
【図２】
0006440644.tif 000003
【図３】
0006440644.tif 000004
【図４】
0006440644.tif 000005
【図５】
0006440644.tif 000006